(57)【要約】
【課題】この考案は、調節の簡単性、足への適合性、履き心地性及びコスト性、特に安価な幼児靴との対応で足への適合性及びコスト性において優れた幼児靴のサイズ調整用中敷きの提供にある。
【解決手段】所要厚みの合成樹脂弾性材を用いてサイズ調整の対象となる靴の中底面の周縁形状より外側に少なくとも前縁延長部を大きく延長して形成し、該前縁延長部を熱圧加工等により上向きに湾曲形成してなるサイズ調整用中敷き。
【選択図】図４
0003101312.tif 000002
【実用新案登録請求の範囲】
【請求項１】
所要厚みの合成樹脂弾性材を用いてサイズ調整の対象となる靴の中底面の周縁形状より外側に少なくとも前縁延長部を大きく延長して形成し、該前縁延長部を熱圧加工等により上向きに湾曲形成してなるサイズ調整用中敷き。
【請求項２】
所要厚みの合成樹脂弾性材を用いてサイズ調整の対象となる靴の中底面の周縁形状より外側に延長して前縁延長部を外側に大きく、後縁延長部を外側に少し大きく、前縁延長部と後縁延長部を連絡する左右側縁延長部を外側に少し大きくそれぞれを形成した周縁延長部をもつ形状の基体に裁断し、その周縁延長部を少なくとも熱圧加工等により上向きに湾曲してなるサイズ調整用中敷き。
【請求項３】
所要厚みの弾性合成樹脂材を用いて、靴の中底面と対応する周縁形状より外側に延長して前縁延長部を外側に大きく、後縁延長部を外側に少し大きく、前縁延長成した周縁延長部をもつ形状の基体に裁断し、その周縁延長部を少なくとも熱圧加工等により上向きに湾曲し、かつ、周縁延長部の前縁延長部を除く全周縁を剣先状周縁形状又はそれに近い形状に形成してなるサイズ調整用中敷き。
【請求項４】
所要厚みの合成樹脂弾性材を用いてサイズ調整の対象となる靴の中底面の周縁形状より外側に延長して前縁延長部を外側に大きく、後縁延長部を外側に少し大きく、前縁延長部と後縁延長部を連絡する左右側縁延長部を外側に少し大きくそれぞれを形成した周縁延長部をもつ形状の基体に裁断し、その周縁延長部を少なくとも熱圧加工等により上向きに湾曲し、かつ、その周縁延長部の全周縁を剣先状周縁形状又はそれに近い形状に形成してなるサイズ調整用中敷き。
【請求項５】
弾性合成樹脂材を成形型により前記形状に成型してなる請求項１、請求項２、請求項３又は請求項４のサイズ調整用中敷き。
【考案の詳細な説明】
【技術分野】
【０００１】
本考案は、成長の著しい幼児に着用される幼児靴に主として使用さるサイズ調整用中敷きに関するものである。
【背景技術】
【０００２】
幼児にあっては、成長が著しく、幼児靴は、短期間で足に合わなくなってしまうものである。そこで、従来、サイズ調整に関して多数の提案がなされている。例えば、靴を前半部と後半部とに分割し、その一部を重合してスライドし、前後の長さを調節可能に構成したもの実登第３０３９０９３号公報がある。次に、弾性材で詰物を形成し、この詰物を靴の爪先内に収容して靴の内部の容量を調整するもの実登第３０９６１４７号公報がある。同様に詰物を踵内側に配備して前後の容量を調整するもの特開２００１−１０４００９号公報がある。次に、中敷きを複数枚重合し、成長に対応して一枚を抜いてサイズを調整するもの特開平５−１９２２０１号公報がある。
【特許文献１】実登第３０３９０９３号
【特許文献２】実登第３０９６１４７号
【特許文献３】特開２００１−１０４００９号
【特許文献４】特開平５−１９２２０１号
【考案の開示】
【考案が解決しようとする課題】
【０００３】
前記背景技術で述べたように、幼児靴のサイズ調節に関して多数の提案がなされているが、調節の簡単性、足への適合性、履き心地性及びコスト性、特に安価な幼児靴との対応で足への適合性及びコスト性において問題があった。そこで、この考案は、それらの問題を解決するためになされたものである。
【課題を解決するための手段】
【０００４】
所要厚みの合成樹脂弾性材を用いてサイズ調整の対象となる靴の中底面の周縁形状より外側に少なくとも前縁延長部を大きく延長して形成し、該前縁延長部を熱圧加工等により上向きに湾曲形成してなるサイズ調整用中敷きにある。
【０００５】
所要厚みの合成樹脂弾性材を用いてサイズ調整の対象となる靴の中底面の周縁形状より外側に延長して前縁延長部を外側に大きく、後縁延長部を外側に少し大きく、前縁延長部と後縁延長部を連絡する左右側縁延長部を外側に少し大きくそれぞれを形成した周縁延長部をもつ形状の基体に裁断し、その周縁延長部を少なくとも熱圧加工等により上向きに湾曲してなるサイズ調整用中敷きとしてもよいものである。
【０００６】
所要厚みの弾性合成樹脂材を用いて、靴の中底面と対応する周縁形状より外側に延長して前縁延長部を外側に大きく、後縁延長部を外側に少し大きく、前縁延長成した周縁延長部をもつ形状の基体に裁断し、その周縁延長部を少なくとも熱圧加工等により上向きに湾曲し、かつ、周縁延長部の前縁延長部を除く全周縁を剣先状周縁形状又はそれに近い形状に形成してなるサイズ調整用中敷きとしてもよいものである。
【０００７】
所要厚みの合成樹脂弾性材を用いてサイズ調整の対象となる靴の中底面の周縁形状より外側に延長して前縁延長部を外側に大きく、後縁延長部を外側に少し大きく、前縁延長部と後縁延長部を連絡する左右側縁延長部を外側に少し大きくそれぞれを形成した周縁延長部をもつ形状の基体に裁断し、その周縁延長部を少なくとも熱圧加工等により上向きに湾曲し、かつ、その周縁延長部の全周縁を剣先状周縁形状又はそれに近い形状に形成してなるサイズ調整用中敷きとしてもよいものである。
【０００８】
弾性合成樹脂材を成形型により前記形状に成型してサイズ調整用中敷きとしてもよいものである。
【考案の効果】
【０００９】
この考案の幼児靴のサイズ調整用中敷きは、前述のように、サイズ調整に対応する幼児靴の中底面の周縁形状より外側に大きく周縁延長部を構成し、特に前縁延長部を大きく外側に延長し、予め上方へ湾曲しておくものであるから、幼児靴に容易に差し入れることができ、しかも、幼児靴の爪先部の爪先部内壁に密接して上方に湾曲し、爪先部の内壁を内側に張り出すことができるのである。この考案のサイズ調整用中敷きにより容易にサイズを調節することができるのである。
【考案を実施するための最良の形態】
【００１０】
所要厚みの合成樹脂弾性材を用いてサイズ調整の対象となる靴の中底面の周縁形状より外側に延長して前縁延長部を外側に大きく、後縁延長部を外側に少し大きく、前縁延長部と後縁延長部を連絡する左右側縁延長部を外側に少し大きくそれぞれを形成した周縁延長部をもつ形状の基体に裁断し、その周縁延長部を少なくとも熱圧加工等により上向きに湾曲し、かつ、その周縁延長部の全周縁を剣先状周縁形状又はそれに近い形状に形成してなるサイズ調整用中敷き。
【実施例】
【００１１】
以下、この考案の主として幼児靴に使用されるサイズ調整用中敷きを、図１〜図４に示す第１実施例のサイズ調整用中敷き１により説明すると、図１は外観斜視図で、幼児靴の一例を示すものである。図２は第１実施例のサイズ調整用中敷き１単体の斜視図、図３はその縦断面図である。所要厚みの無気泡弾性合成樹脂シート材、独立気泡弾性合成樹脂シート材、連続気泡弾性合成樹脂シート材及びその他適宜の弾性合成樹脂シート材を選択し、それらの選択シート材をサイズ調整の対象となる幼児靴３の中底面３ａと対応する周縁形状２ａより外側に延長して前縁延長部２ｂを外側に大きく、後縁延長部２ｃを外側に少し大きく、前縁延長部２ｂと後縁延長部２ｃを連絡する左右側縁延長部２ｄ、２ｅを外側に少し大きくそれぞれを形成した周縁延長部２をもつ形状の基体に裁断し、その周縁延長部２を少なくとも熱圧加工等により上向きに湾曲し、かつ、その周縁延長部２の全周縁を、図３に示すように、剣先状周縁形状２ｆに形成してなる第１実施例のサイズ調整用中敷き１である。なお、弾性合成樹脂材を成形型により成型して前記平面及び周縁形状２ａの第１実施例のサイズ調整用中敷き１を製造してもよいものである。
【００１２】
この考案の第１実施例のサイズ調整用中敷き１は、前述のように構成されるから、図４に示すように、幼児靴３内に押し込むと、中底面３ａに重合し、周縁延長部２の前縁延長部２ｂは幼児靴３の爪先部３ｂの爪先部内壁３ｂ１に沿って上昇し、周縁を爪先部３ｂの内天面３ｂ２に連接し、爪先部３ｂの爪先部内壁３ｂ１に前縁延長部２ｂの壁厚を加え、周縁延長部２の後縁延長部２ｃは、踵部３ｃの踵部内壁３ｃ１に所要巾連接して上昇し、左右側縁延長部２ｄ、２ｅは、左右側部３ｄ、３ｅの左右側部内壁３ｄ１、３ｅ１に所要巾連接して上昇し、それぞれ踵部内壁３ｃ１と左右側部内壁３ｄ１、３ｅ１に延長周縁部２の厚み分だけ内壁を内側に張り出し、その状態に収容されるものである。そこで、幼児靴３の内部は、中底面３ａが第１実施例のサイズ調整用中敷き１の厚み分だけ上昇し、爪先部３ｂの爪先部内壁３ｂ１が前縁延長部２ｂの厚み分だけ大きく内側になり、同様に、踵部３ｃの踵部内壁３ｃ１と左右側部３ｄ、３ｅの左右側部内壁３ｄ１、３ｅ１の一部が起立する後縁延長部２ｃと左右側縁延長部２ｄ、２ｅの厚み分だけ内側になり、その内側へ変化した分だけ幼児靴のサイズを縮小するものである。
【００１３】
次に、図５及び図６に示す第２実施例のサイズ調整用中敷き４により説明すると、図５は第２実施例のサイズ調整用中敷き４の外観斜視図で、前記第１実施例のサイズ調整用中敷き１と同様の弾性合成樹脂材を用いて、幼児靴３の中底面３ａと対応する周縁形状５ａより周縁より外側に延長して少なくとも前縁延長部５ｂを外側に大きく、後縁延長部５ｃを外側に少し大きく、前縁延長部５ｂと後縁延長部５ｃを連絡する左右側縁延長部５ｄ、５ｅを外側に少し大きくそれぞれを形成した周縁延長部５をもつ形状の基体に裁断し、その周縁延長部５を少なくとも熱圧加工等により上向きに湾曲し、かつ、その前縁延長部５ｂを周縁まで適宜の厚みとし、その他の周縁延長部５を、図６に示すように、剣先状周縁形状５ｆに形成してなる第２実施例のサイズ調整用中敷き４である。
【００１４】
この考案の第２実施例のサイズ調整用中敷き４は、前述のように構成されるから、図４により説明すると、幼児靴３内に押し込むと、中底面３ａに重合し、周縁延長部５の前縁延長部５ｂは幼児靴３の爪先部３ｂの爪先部内壁３ｂ１に沿って上昇し、周縁を爪先部３ｂの内天面３ｂ２に連接し、爪先部３ｂの爪先部内壁３ｂ１に前縁延長部５ｂのシート厚を加えて爪先部内壁３ｂ１を内側に張り出すことできるものである。この前縁延長部５ｂは、厚みが周縁まで変らず例えば同一厚に構成されているから、特に周縁まで均一厚に構成し、サイズ巾を大きく調整できるのである。
【産業上の利用可能性】
【００１５】
この考案の幼児靴のサイズ調整用中敷きは、前述のように、製造が簡単で安価に提供でき、安価な幼児靴にも対応させ、サイズ調整には、中敷きは周縁延長部を予め湾曲しているから、幼児靴に容易に差し込むことができ、簡単な操作で所定位置に配備させることができ、中敷き面の上昇と、爪先部内壁の張り出しとによりサイズを調整するから、足にぴったりと適合し、履き心地がよく、使用期間の延長をはかることができ、省資源を図ることができるものである。
【図面の簡単な説明】
【００１６】
【図１】この考案の第１実施例及び第２実施例のサイズ調整用中敷きを差入れる幼児靴の一例を示す外観斜視図である。
【図２】この考案の第１実施例のサイズ調整用中敷きを示す斜視図である。
【図３】同じく、縦断面図である。
【図４】同じく、この考案の第１実施例のサイズ調整用中敷きを幼児靴内に入れた状態の縦断面図である。
【図５】この考案の第２実施例のサイズ調整用中敷きを示す斜視図である。
【図６】同じく、縦断面図である。
【符号の説明】
【００１７】
１  第１実施例のサイズ調整用中敷き
２  周縁延長部
２ａ  周縁形状
２ｂ  前縁延長部
２ｃ  後縁延長部
２ｄ  左側縁延長部
２ｅ  右側縁延長部
２ｆ  剣先状周縁形状
３  幼児靴
３ａ  中底面
３ｂ  爪先部
３ｂ１  爪先部内壁
３ｂ２  内天面
３ｃ  踵部
３ｃ１  踵部内壁
３ｄ  左側部
３ｄ１  左側部内壁
３ｅ  右側部
３ｅ１  右側部内壁
４  第２実施例のサイズ調整用中敷き
５  周縁延長部
５ａ  周縁形状
５ｂ  前縁延長部
５ｃ  後縁延長部
５ｄ  左側縁延長部
５ｅ  右側縁延長部
５ｆ  剣先状周縁形状
【図１】
0003101312.tif 000003
【図２】
0003101312.tif 000004
【図３】
0003101312.tif 000005
【図４】
0003101312.tif 000006
【図５】
0003101312.tif 000007
【図６】
0003101312.tif 000008